(57)【特許請求の範囲】
【請求項１】
本体カプセルと、該本体カプセル内に備えられた巻取り機構が、被収納物を巻き取る巻取り手段と、該巻取り手段を回転させる回転手段とを着脱自在に設けてなる巻き取り式収納容器において、前記巻取り手段の巻き取り軸には、被収納物が巻付く巻回軸が設けられると共に、爪受部が形成され、前記回転手段のリール軸には、前記爪受部と嵌合して巻取りを制御する爪軸部と、該リール軸に連結して回転復元力を発生させるゼンマイと、該ゼンマイを収納し、前記爪軸部と嵌合すると共に、リール紐を巻回するリール部とが設けられ、前記爪軸部がリール部と固定係合し、爪軸部に形成された複数の係合爪が前記爪受部と着脱自在に嵌合する構造であることを特徴とする巻き取り式収納容器。
【請求項２】
繰り出されたリール紐を捲き戻す捲き戻し手段を設けてなることを特徴とする請求の範囲１記載の巻き取り式収納容器。
【請求項３】
リール部と本体カプセルの接触面に間隙を設け、該間隙内にグリスを介在させたことを特徴とする請求の範囲２記載の巻き取り式収納容器。
【請求項４】
巻取り手段が回転手段と着脱する際に、該回転手段を覆うようにして着脱し、本体カプセル内に巻き取られる被収納物の収納空間が前記回転手段とは隔離されるように設けられたことを特徴とする請求の範囲１記載の巻き取り式収納容器。
【発明の詳細な説明】
技術分野
本発明は、不織布や布製などの袋やシートなどといったものを折りたたむことなく、効率的に容器内に巻き取って収納できる巻き取り式収納容器に関するものである。
背景技術
袋やシート類は、広げて持ち歩くのは邪魔になるため、通常は折りたたんで専用の袋の中に収納されているものが多い。一度、広げた物は折りたたむのが面倒で、元の専用袋に収納するのは中々難しいものである。
また、きちんと収納した状態であっても、いつでも使用できるようにするためには、常に持ち歩けるような形態での収納が望ましい。その点において専用袋は必ずしも常時携行に望ましいとは言えない。
特に、スーパーなどの買い物袋は日常生活に欠かせない物となっている反面、ゴミ公害や資源保護等の観点から、急激に問題視されるようになってきており、自前の買い物袋を持ち歩く運動が各地で広げられるに至っている。この買い物袋の代替手段としては、布製や不織布製の袋そのものを持ち歩く方法や、買い物専用の折りたたみ式箱などが使われるが、素材としては丈夫な反面、嵩張るため、空のときでさえ持ち運びは軽快とは言いがたい。
本発明者も、この社会的問題を憂い、特願２０００−３９９４９４号（以下「先の出願」）において、「携帯用買い物袋」を提案した。すなわち、本発明者は買い物袋を簡単に容器内に巻き取って収納し、買い物袋を使用するときは容易に引き出すことができ、常時携行するのに最適な巻き取り式収納容器に買い物袋を収納すると、問題の解決となると考えた。
先の出願に係る携帯容器入り買物袋は、第６図および第７図に示すように、巻取容器としての球形のプラスチック製カプセル６に、薄手の布製包袋３ｂが出し入れ自在に収納できるようにされている。布製包袋３ｂは、その上端中央部にキーホルダー６８付きの螺子蓋６６が着脱自在に取付けられると共に、下端中央部に、後述する包袋巻取筒７２の連結紐７７と連結フック６７を介して着脱自在に取付けることができるようにされている。カプセル６は、包袋３ｂが出し入れ可能な開口６Ｃを設けた上側カプセル部６Ａと下側カプセル部６Ｂに着脱可能に分割にされ、その内部には、包袋巻取機構が設けられている。
包袋巻取機構は、下側カプセル部６Ｂの下端にボルト止めして垂設固定される金属製のシャフト７を介して、包袋巻取筒７２、仕切板８０、牽引紐６３及びその巻取リール６２、この牽引紐巻取リール６２の内部６２ｂに収納される牽引紐捲き戻し用のゼンマイばね６４、牽引紐巻取リール６２を内部６１ｂに収納すると共に、包袋巻取筒７２と牽引紐巻取リール６２とを連結・非連結状態にするためのリールホルダー６１とから構成される。
包袋巻取筒７２は、金属製シャフト７が挿通可能な円筒状に形成され、その下端周縁に張出して形成された鍔部７３の下面には、クラッチ嵌合面７４としての凹凸が形成され、リールホルダー６１の上面に凹凸形成されたクラッチ嵌合面６１ａと嵌合・離反して、包袋巻取筒７２と巻取リール６２とを連結・非連結状態にするためのクラッチ機構を構成するようにされている。また、包袋巻取筒７２の上端開口７６には、クラッチ連結ボタン７８が嵌め込まれ、このクラッチ連結ボタン７８を押圧することにより、シャフト７に環装されたコイルばね７１の負勢力に抗して包袋巻取筒７２を下動するようにされている。
リールホルダー６１は、中央に挿通孔６１ｃを有する上下に二分割された円形ケースであり、中空カプセル６の下側カプセル部６Ｂに回動可能に収納され、中央部に円形孔８１を有する仕切板８０を下側カプセル部６Ｂにビス留めすることにより固定される。８２は、仕切板８０に直径方向に移動可能に取付けられたクラッチ分離用ボタンで、コイルばね８４により外方向に負勢されている。そして、下記する通常の使用状態における操作でも上手くクラッチ機構が離反しない時には、これを押圧して、クラッチ間にクサビ部８３を挿入し、強制的に分離させるために緊急的に使用するものである。
牽引紐巻取リール６２は、その外周面に牽引紐６３が巻回されると共に、その内部６２ｂにゼンマイばね６４が収納される。ゼンマイばね６４の端部６４ａは、金属製シャフト７の下端に設けられた切欠き７０に嵌装して固定されると共に、巻取リール６２の内側凹所６２ｂ内に嵌合された状態でリールホルダー６１内に収納固定される。そして、リールホルダー６１の下ケースの窓口６６ｄを通って牽引紐６３が中空カプセル６の外部に引き出され、牽引紐６３の先端に牽引リング６５が取付けられる。
次に、この使用方法について説明する。
包袋３ｂは、螺子蓋６６を外して、カプセル６の開口６Ｃから包袋３ｂを引き出し、巻取筒７２の連結紐７７との連結フック６７を外すことで買物用袋等として使用することができる。使用後の包袋３ｂをカプセル６内に収納するには、第８図に示すように、包袋３ｂと巻取筒７２の連結紐７７とを連結フック６７で連結した（第７図参照）後、先ず、一方の手でクラッチ連結ボタン７８を押圧した状態で、他方の手で牽引リング６５を持って牽引紐６３を引き出す。すると、カプセル６内部では、包袋巻取筒７２とリールホルダー６１とが連結され巻取筒７２が回動して包袋３ｂを巻き取ってゆく、同時に巻取リール６２が回転してゼンマイばね６４が巻かれる。次いで、クラッチ連結ボタン７８から指を外すと、カプセル６内部では、包袋巻取筒７２がコイルスプリング７１に負勢されて上動し、包袋巻取筒７２とリールホルダー６１とは非連結状態となる。同時に、ゼンマイばね６４が巻き戻り負勢されてリールホルダー６１のみが回動して牽引紐６３が巻取られる。そして、上記動作を繰り返すことにより包袋３ｂを巻き取って行き容器６内に完全に収納したところで、カプセル６の開口６Ｃを螺子蓋６６にて閉蓋するようにしたものである。
さらに本出願人は、この先の出願において提案した「携帯容器入り買物袋」の容器を、他のものの収納に応用できることに気がつき、その巻き取り性能および引き出し易さの向上と、収納スペースの増加とを試み、鋭意研究の結果本発明に至った。
本出願においては、先の出願の技術を受け継ぎ、袋や旗等といった比較的小さいものから、各種シートや雨着といった比較的大きなものまでを、容易に巻き取って収納し、使用時に容易に引き出すことができる巻き取り式収納容器を提供することを目的としている。
発明の開示
このため本発明では、本体カプセルと、該本体カプセル内に備えられた巻き取り機構とからなる巻き取り式収納容器において、該巻取り機構が、被収納物を巻き取る巻取り手段と、該巻取り手段を回転させる回転手段とが着脱自在に設けられた構造であるようにしたものである。これにより、回転手段を容易に操作でき、その回転を確実に巻取り手段に伝達でき、もって被収納物の巻取りが確実に行うとともに、巻取り手段が回転手段から離脱自在であるため、被収納物の引出しも容易に行うことことが可能である。
また、本体カプセルと、該本体カプセル内に備えられた巻き取り機構とからなる巻き取り式収納容器において、被収納物を巻き取る巻取り手段と、該巻取り手段を回転させる回転手段とを着脱自在に設け、前記巻取り手段が前記回転手段と着脱する際に、前記回転手段を覆うようにして着脱し、前記本体カプセル内に巻き取られる被収納物の収納空間が前記回転手段とは隔離されるように設けるようにしたものである。これにより、被収納物を巻き取る空間を大きく取ることができ、回転手段に邪魔されること無く、大きな面積を有するシート等を狭い収納空間内にきつく押し込めることができるため、収納して携行する手段として有効である。
発明を実施するための最良の形態
本発明においては、先の出願の基本的構造を受け継ぎ、収納性を高め、且つ操作性を飛躍的に向上させた。
このように性能を向上させた技術の着眼点としては、まず、回転構造をよりコンパクトに纏め上げるものの、その巻取りトルクはさらに向上することを目指した。すなわち、回転を与えるための紐を巻くリール部分の直径は可能な限り大きくし、それによって紐巻量が減少しないようにリール部分の形状が球体内壁に可能な限り接し、且つその領域での空間を最大限に利用できるようにしている。特に、リール部分は外側に向かって広くなるような構造も採用している。
この回転部分の回転を支える、反転構造としてのゼンマイと、巻取り手段へ回転を伝えるためのギアとしての係合爪は、このリール部分にコンパクトに一体化して組み込まれるようにしたため、リール構造以上の厚みを必要としないようになっている。
さらに、回転手段と巻取り手段との連結においては、係合爪を覆う形での爪受部を設け、この爪受部全体で複数の係合爪と係合するため、回転部分から加わる強い回転力をしっかりと受け止めて、これを巻取り軸に増幅して伝達することができる。そのため、面積の広い被収納物を大きな力で容器内に引き込むことが可能となった。
以下、本発明の実施例を図面に基づいて説明する。
実施例
本実施例の巻き取り式収納容器の主要構成は、第２図に示すように、巻き取る袋やシート等を巻きつけると共に、巻取りと開放をするために軸を回転させる構造を有する軸部１と、これを軸として巻き取ったものを収納する本体カプセル２とから構成される。軸部１は、実際にシート等が巻きつく巻き取り軸１１と、後述するリール紐やゼンマイ等の作用により巻き取り軸１１を回転させるリール軸１２とから構成されている。
本体収納カプセル２は、上部カプセル２１と下部カプセル２２とに分割され、上部カプセル２１には、巻き取り軸１１の頂部のプッシュボタン１１０が嵌合する嵌合穴２１０が穿設されており、上部カプセル２１と下部カプセル２２とを結合させることにより、軸部１を収納した状態で球状となり、その側面に円形の取出し口２３が形成される。
第３図に示すように、巻き取り軸１１の頂部にはプッシュボタン１１０が取り付けられており、その下部が被巻き取り物が巻き付く巻回軸１１１であり、その下部から傘状に広がる爪受部１１２が形成され、後述する爪受け１１３（第４図参照）がその底面に形成されている。
リール軸１２は、爪受部１１２との嵌合により巻取りを制御する爪軸部１３と、その下部に連結して回転復元力を発生させるゼンマイ１５と、ゼンマイ１５を収納し、爪軸部１３と嵌合すると共に、後述するリール紐４を巻回するリール部１４とから構成されている。爪軸部１３には複数の係合爪１３１が形成され、その下部がリール部１４と固定係合し、その上部が爪受部１１２と着脱係合するように設けられている。また、爪軸部１３の上部には、巻き取り軸１１との間にスプリング１８が介在するように設けられており、これによりプッシュボタン１１０は押し返されるように設けられている。
また、これらの巻き取り軸１１、爪軸部１３、ゼンマイ１５およびリール部１４の中心には、シャフト１６が貫通しており、その下端部をボルト１７によって下部カプセル２２に固定する。したがって、爪軸部１３とリール部１４とはシャフト１６を回転軸として一体化して回転し、一旦リール部１４から繰り出されたリール紐４は、シャフト１６に固定されたゼンマイ１５の復元力によりリール部１４に再び巻き取られる。
次に、本実施例の巻き取り式収納容器の作動について説明する。
第１図（ａ）に示すように、袋などの被収納物３が引き出されて、導き紐３１の先端が巻回軸１１１に連結されている。この状態では、まだ巻き取り軸１１とリール軸１２とが結合されていないため、巻き取り軸１１はシャフト１６周りで回転自在であり、後述する被収納物３を引き出す際には、この状態で自在に引き出すことが出来る。
一方、リール紐４はリール部１４に巻き取られた状態で、その先端には握り手４１が取り付けられている。下部カプセル２２内には、リール部１４を収納する内周壁２２３が形成されており、リール部１４の底面と下部カプセルの内側との間には僅かな間隙２２４が形成されている。この間隙２２４における摩擦力が、本収納容器の操作性を左右するため、原則的にはグリスを介在させ、スムーズな回転にして、しかも、過度に回転しないように調整できるようにしている。
被収納物３を引き込むに当たっては、第１図（ｂ）に示すように、プッシュボタン１１０を押し込んで、巻き取り軸１１を下げることにより、爪受部１１２が係合爪１３１と係合して、リール部１４の回転が巻回軸１１１に連動するようになる。これにより、リール紐４を引き出すとリール部１４が回転して、その回転により巻回軸１１１に被収納物が巻きついて引き寄せられる。被収納物３が本体カプセル２内に収納されきられずにリール紐４を引き出しきった場合は、プッシュボタン１１０を離して爪受部１１２と係合爪１３１との係合を切り離すと、リード紐４はゼンマイ１５の復元力で巻き戻される。被収納物３が本体カプセル２内に完全に収納されるまで、リール紐４を繰り返して引き出して、被収納物３を引き寄せることが出来る。
これからもわかるように、この構造をもってすれば、爪受部１１２より上の部分に大きな収納空間を確保できると共に、複数の受け爪１１３と係合爪１３１との強い係合力によって、リール部１４の回転が梃子の作用によって増幅されて強いトルクを巻回軸１１１に与えるため、被収納物３を強い力で本体カプセル２内に確実に引き込むことが出来る。
被収納物３を本体カプセル２内に、完全に引き込んだ後は、取出し口２３はキャップ（図示せず）により塞がれ、リール紐４はゼンマイ１５の作用で巻戻され、本体カプセル２は握り手４１以外ほとんど突起物の無い球体となる。したがって、本案の巻取り式収納容器は、持ち運びや収納において、実用上および外見上、理想的な容器となる。
次に、これに収納する被収納物の例を示す。
例１
例えば、買い物袋などにあっては、第５図に示すように、袋３ａは取手３２ａ、３３ａを有する買い物袋であったとして、買い物袋として下げる場合はこれらの取手３２ａ、３３ａは重ねられた状態で保持されるが、収納するための導き紐３１ａへ連結されているのは、袋３ａの底部分の中心Ｃからやや偏向した位置Ｐである。
このように中心位置から外れたところを導き紐の取り付けポイントする理由は、被収納物の最終的巻き取り段階で、その端部の幅が広い部分が集中してしまい、最後に収納しきれない場合がある。その点、このように中心からずれた位置Ｐに導き紐３１ａを連結すると、最後には端部がずれて、段階的に巻き取られるため、重なることがない。
シートや旗といった一枚物でも同様で、角や辺の中心に導き紐を連結すると、どこかで集中するところが出てくる。そのため、角や辺の中心を外した位置に連結することが望ましい。
本発明では以上のように構成したので、次に示す優れた効果がある。
（１）簡単な操作で、回転手段と巻取り手段が連結され、これによって大きなトルクの巻取り力を得られるため、面積の広い被収納物でも容易に巻き取って収納できる。
（２）回転手段と巻取り手段との着脱が確実であるため、被収納物の取り出しに際しては、確実に離脱した巻取り手段が完全に回転自在となるため、軽い力で容器内から簡単に引き出すことができる。
（３）回転手段の占有容積を最小限にとどめる構造であり、しかも巻取り手段をこの回転手段から隔離する構造であるため、巻き取った被収納物を収納する空間を大きく取ることができるため、十分な収納性を有している。
（４）回転手段におけるリール部分の動作を軽快にする手段を複数備えているため、容易な巻き取り動作で巻き取ることが可能である。
（５）被収納物を収納し、且つ回転手段としてのリール紐が巻戻された状態では、突起物がほとんどないため、実用上および外見上において、携行性に優れている。
産業の利用可能性
以上のように、本発明にかかる巻き取り式収納容器は、不織布や布製などの袋やシートなどといったものを折りたたむことなく、効率的に容器内に巻き取って収納し、これによって携行性の高い収納容器として広い範囲での利用可能性が見込まれる。
【図面の簡単な説明】
第１図は収納容器の作動を説明する側面断面図であり、第２図は収納容器の主要構成部品の分解斜視図であり、第３図は軸部の構造を示す分解斜視図であり、第４図は巻き取り軸の爪受けを示す底面図であり、第５図は被収納物としての袋の例を示す平面図であり、第６図は先の出願の携帯容器の構造を示す分解斜視図であり、第７図は先の出願の携帯容器入り買物袋の構成を示す部分側面断面図であり、第８図は先の出願の携帯容器入り買物袋の使用状態を示す斜視図である。
【図１】
0003915097.tif 000002
【図２】
0003915097.tif 000003
【図３】
0003915097.tif 000004
【図４】
0003915097.tif 000005
【図５】
0003915097.tif 000006
【図６】
0003915097.tif 000007
【図７】
0003915097.tif 000008
【図８】
0003915097.tif 000009